(57)【要約】【課題】空気の汚れレベル示す汚れレベル表示について、認識し易いレベル表示を行うとともに、空気清浄機が正常に機能していることも認識できるように表示する空気清浄機用の表示装置及びこれを使用した空気清浄機を提供する。【解決手段】空気の汚れを示す汚れレベルを表示する表示部と、表示部に汚れレベルを表示させる制御部とを備え、制御部は、汚れレベルを数値表示と、汚れレベルに応じて高さが変わる波形のグラフィックを表示部に表示させる。【選択図】図５
2019180050.tif 000002
【特許請求の範囲】
【請求項１】
空気の汚れを示す汚れレベルを表示する表示部と、
前記表示部に汚れレベルを表示させる制御部とを備え、
前記制御部は、汚れレベルを数値で表示させる数値表示制御部と、汚れレベルをグラフィックで表示させるグラフィック表示制御部を有し、
グラフィック表示制御部は、汚れレベルに応じて高さが変わる波形のグラフィックを表示させることを特徴とする表示装置。
【請求項２】
前記グラフィック表示制御部は、汚れレベル応じて前記波形のグラフィックの表示色を変化させることを特徴とする請求項１に記載の表示装置。
【請求項３】
前記グラフィック表示制御部は、前記波形のグラフィックが移動するように表示させることを特徴とする請求項１または２に記載の表示装置。
【請求項４】
請求項１乃至請求項３の何れか一項に記載の表示装置は、空気清浄機との双方向通信機能を備えたリモートコントロール用の端末機器の表示装置として使用することを特徴とする空気清浄機。
【発明の詳細な説明】
【技術分野】
【０００１】
本発明は、空気の汚れレベルを表示する表示装置及びこれを備えた空気清浄機に関する。
【背景技術】
【０００２】
空気清浄機では、室内の空気中に含まれる塵や埃またはＰＭ２．５の微小粒子状物質などを検知し室内の空気の汚れレベルとしている。
【０００３】
従来、空気の汚れを検知する汚れ検知センサにより検知された空気の汚れレベルに応じて室内空気を吸い込むための送風機の回転速度を制御する空気清浄機で、空気の汚れレベル（埃と臭い）と送風機の回転速度レベルの２種類の異なる情報を表示する液晶表示盤を備えた空気清浄機が提案されている（例えば、特許文献１参照）。
【０００４】
この空気清浄機では、円の４分の１の扇形状に表示パターンを２つ組み合わせて半円形状に形成し、一方を埃の表示用、他方を臭いの表示用として、この表示パターンを中心側から外周に向けて順次点灯することにより、空気の汚れレベルを表示している。また、送風機の回転速度レベルは表示パターン全体の表示色を変化させることにより表示している。
【先行技術文献】
【特許文献】
【０００５】
【特許文献１】特開２００２−５８９４０号公報
【発明の概要】
【発明が解決しようとする課題】
【０００６】
しかしながら、上述した特許文献１に記載された従来技術では、１つの液晶表示盤で空気の汚れレベルと送風機の回転速度レベルを表示することができるが、空気の汚れレベルを単純にパターン表示しているだけで、ユーザが空気の汚れレベルやその程度を直感的に認識しづらいという課題がある。
【０００７】
また、従来の表示装置では、それが搭載された空気清浄機が正常に機能をしているかどうか、ユーザにとっては分からないという課題がある。
【０００８】
そこで、本発明は、上記特許文献１に記載された先行技術の課題に着目してなされたものであり、空気の汚れレベルをユーザにとって直感的に認識できる表示とし、空気清浄機が正常に動作していることも認識できるような表示装置とその表示装置を備えた空気清浄機を提供することを目的としている。
【課題を解決するための手段】
【０００９】
本発明に係る表示装置の一態様は、空気の汚れを示す汚れレベルを表示する表示部と、表示部に汚れレベルを表示させる制御部とを備え、制御部は、汚れレベルを数値で表示させる数値表示制御部と、汚れレベルをグラフィックで表示させるグラフィック表示制御部を有し、グラフィック表示制御部は、汚れレベルに応じて高さが変わる波形のグラフィックを表示させる。さらに、波形のグラフィックが移動するように表示させる。
【００１０】
本発明に係る空気清浄機の一態様は、空気清浄機との双方向通信機能を備えたリモートコントロール用の端末機器の表示装置として上記表示装置を使用するようにした。
【発明の効果】
【００１１】
本発明の一態様によれば、表示装置は、室内空気の汚れを示す汚れレベル数値と、汚れレベルに応じて高さが変わる波形のグラフィックで表示することで、ユーザが室内空気の汚れレベルを直感的に認識し易くできる。また、波形のグラフィックが振動するように表示させることで、ユーザが、空気清浄機が正常に機能していることを確認することができ、ユーザに安心感を与えることができる。
【図面の簡単な説明】
【００１２】
【図１】本発明に係る空気清浄機のシステム構成を示す構成図である。
【図２】本発明に係る空気清浄機の制御部で実行する作動情報作成処理手順の一例を示すフローチャートである。
【図３】本発明に係る表示装置を備えた端末機器の構成を示すブロック図である。
【図４】本発明に係る空気清浄機の一実施形態の端末機器で実行する作動情報表示処理手順の一例を示すフローチャートである。
【図５】端末機器の表示部を示す説明図である。
【図６】端末機器で実行する作動情報表示処理で使用する表示テーブルの一例を示す図である。
【図７】端末機器の表示部の表示形態を示す説明図である。
【発明を実施するための形態】
【００１３】
次に、図面を参照して、本発明の一実施形態について説明する。以下の図面の記載において、同一又は類似の部分には同一又は類似の符号を付している。但し、図面は模式的なものであり、現実のものとは異なる場合があることに留意すべきである。したがって、具体的な構成部品については以下の説明を参酌して判断すべきものである。
【００１４】
また、以下に示す実施形態は、本発明の技術的思想を具体化するための装置や方法を例示するものであって、本発明の技術的思想は、構成部品の形状、構造、配置等を下記のものに特定するものでない。本発明の技術的思想は、特許請求の範囲に記載された請求項が規定する技術的範囲内において、種々の変更を加えることができる。
【００１５】
以下に、本発明の一実施形態に係る表示装置及びその表示装置を備えた空気清浄機について図を伴って説明する。
【００１６】
先ず、本発明を適用し得る空気清浄機について説明する。空気清浄機１０は、図１に示すように、空気清浄部１１と、空気清浄部１１を駆動する駆動部１２と、駆動部１２を制御する本体制御部１３を備えている。この本体制御部１３には、本体操作部１４と、本体表示部１５と、空気汚れ検出部１６と、温度検出部１７と、湿度検出部１８と、記憶部１９と、無線アダプタ２０が接続されている。この空気清浄機１０は、リモートコントロール機器として専用のリモコン、またはスマートフォンやタブレットなどの端末機器３０を使用している。この端末機器３０に本発明の表示装置１が備えられている。
【００１７】
本体操作部１４は、空気清浄機１０の電源のオン・オフや運転モードを入力するための操作スイッチやタッチパネル等の操作部を備えている。
【００１８】
本体表示部１５は、運転状態や空気の汚れを示す汚れレベル等を表示する液晶表示装置、または発光ダイオード（ＬＥＤ）である。
【００１９】
空気汚れ検出部１６は、空気清浄機１０が配置された室内空気に含まれる埃、花粉、ＰＭ２．５等の塵埃による空気の汚れを示す汚れレベル（室内空気質：ＡＱ）を検出し、検出した汚れレベルＡＱを本体制御部１３に出力する。
【００２０】
温度検出部１７は、空気清浄機１０が配置された室内の温度を検出し、検出した温度を本体制御部１３に出力する。湿度検出部１８は、空気清浄機１０が配置された室内の湿度を検出し、検出した湿度を本体制御部１３に出力する。
【００２１】
記憶部１９は、空気汚れ検出部１６で検出した汚れレベルＡＱと、温度検出部１７で検出した室内温度、湿度検出部１８で検出した室内湿度等を記憶する。
【００２２】
無線アダプタ２０は、例えば無線ルーター２１との間で双方向の無線通信を行い、無線ルーター２１を介して端末機器３０に対して作動情報を送信したり、端末機器３０から操作された電源のオン・オフや運転モードの信号を受信したりする。
【００２３】
ここで、本体制御部１３は、空気汚れ検出部１６で検出した汚れレベルＡＱを基に駆動部１２を介して空気清浄部１１のファン回転数を制御して空気清浄部１１に備えられた電気集塵部で室内空気に含まれる埃、花粉、ＰＭ２．５等の塵埃を除去して清浄化された空気を室内に戻す空気清浄部１１の運転制御を行う。また、本体制御部１３は、端末機器３０からの作動情報送信要求を受信したときに、運転情報や汚れレベルＡＱ、室内温度検出値、室内湿度検出値等を纏めた作動情報を作成し、作成した作動情報を端末機器３０に送信する作動情報作成処理を実行する。
【００２４】
この作動情報作成処理は、図２に示すように、予め設定された時間間隔でメインプログラムに対するタイマ割込処理として実行される。すなわち、本体制御部１３は作動情報作成処理によって、先ず、空気汚れ検出部１６で検出した汚れレベルＡＱ、温度検出部１７で検出した室内温度、湿度検出部１８で検出した室内湿度を収集する（ステップＳ１）。
【００２５】
本体制御部１３は、収集した汚れレベルＡＱ、室内温度検出値Ｔ及び室内湿度検出値Ｈを記憶部１９に記憶する（ステップＳ２）。
【００２６】
次いで、本体制御部１３は、端末機器３０から作動情報送信要求を受信したか否かを判定し（ステップＳ３）、作動情報送信要求を受信していないときにはそのままタイマ割込処理を終了する。
【００２７】
一方、ステップＳ３で、作動情報送信要求を受信したときには、記憶部１９に記憶されている最新の汚れレベルＡＱ、室内温度検出値Ｔ及び室内湿度検出値Ｈを読み出し、これらに空気清浄機の運転情報を加えて作動情報を作成する（ステップＳ４）。ここで、運転情報とは、空気清浄機１０がオン状態であるかオフ状態であるかを表す運転状態と、空気汚れ検出部１６が作動中であるか停止中であるかさらには空気汚れ検出部１６に異常が生じて、汚れレベルＡＱを検出できないエラー状態であるかを識別可能とした状態情報である。
【００２８】
そして、本体制御部１３は、作成した作動情報を無線アダプタ２０、無線ルーター２１を介して端末機器３０へ送信する（ステップＳ５）。
【００２９】
端末機器３０は、図３に示すように、端末制御部３１と、この端末制御部３１内に形成された空気清浄機制御部３２と、入力部３３と、端末表示部３４と、通信インタフェース部３５と、ＧＰＳ受信部３６と、端末記憶部３７を備えている。
【００３０】
また、本発明の表示装置１は、図３で示すように表示部と制御部を有し、その表示部と制御部は、それぞれ端末表示部３４、空気清浄機制御部３２に相当する。
【００３１】
端末制御部３１は、例えば、マイクロコンピュータ等の演算処理装置であり、入力部３３から入力される入力情報に応じて通話の実行、電子メールの送受信、インターネット検索等の各種端末機能の制御を行う。この端末制御部３１は、上述した各種制御を行う他、空気清浄機１０に関する運転操作と表示制御を行う空気清浄機制御部３２備えている。この空気清浄機制御部３２は、汚れレベルＡＱを数値で表示させる数値表示制御部３２ａと、汚れレベルＡＱをグラフィックで表示させるグラフィック表示制御部３２ｂを備えている。空気清浄機制御部３２は、例えばインターネットを介してインストールした所定のアプリケーションプログラムを実行することにより構成される。
【００３２】
入力部３３は、端末表示部３４の表示画面に配置されたタッチパネルを有し、端末表示部３４に表示されたアイコンを指等でタッチすることにより、入力情報の入力を行う。
【００３３】
端末表示部３４は、液晶表示装置や有機ＥＬ表示装置等で形成されている。この端末表示部３４は、端末制御部３１での各種端末機能の制御に必要なデータ、各種アイコン、キーボード等の表示を行うとともに、空気清浄機制御部３２で形成される空気汚れ表示情報を表示する。
【００３４】
通信インタフェース部３５は、無線基地局との間で無線通信を行うとともに、無線ルーター２１などのアクセスポイントとの間で通信を行う。
【００３５】
ＧＰＳ受信部３６は、複数のＧＰＳ（Global Positioning System）衛星からのＧＰＳ信号を受信して、端末機器３０の現在位置（緯度と経度）を検出する。
【００３６】
端末記憶部３７は、端末制御部３１の各種端末機能で必要とする各種データや空気清浄機制御部３２で必要とする各種データを読み出し可能に記憶する。
【００３７】
空気清浄機制御部３２は、空気清浄機１０の運転操作用のアイコンや空気清浄機１０の各種検出部１６〜１８で検出した汚れレベルＡＱ、室内温度Ｔ及び室内湿度Ｈ等の表示情報や環境表示情報を端末表示部３４に表示する表示処理を含む空気清浄機制御処理を実行する。
【００３８】
この空気清浄機制御処理は、図５に示す端末表示部３４の例えば縦長の表示領域ＤＡに空気清浄機１０の運転に関する情報を表示する。この縦長の表示領域ＤＡには、上下方向の下端側に空気清浄機１０を操作するための操作ボタンを表示する操作部表示領域４１が形成される。また、表示領域ＤＡには、上下方向の中間部に空気清浄機１０の運転状態や室内空気の汚れレベルＡＱ等を表示する汚れレベル表示領域４２が形成される。さらに、表示領域ＤＡには、上下方向の上端側に、空気清浄機１０が配置されている場所、室外の環境情報等を表示す環境情報表示領域４３が形成される。
【００３９】
ここで、操作部表示領域４１には、例えば、右側に空気清浄機１０のオン・オフを行う運転スイッチ部４１ａが表示され、左側に送風ファンの回転速度を設定する速度設定部４１ｂが表示され、中央部に詳細設定ボタン４１ｃが表示されている。この詳細設定ボタン４１ｃをタッチすると、加湿モードのオン・オフ、オフタイマーの設定、チャイルドロックのオン・オフなどの設定画面が表示される（図示なし）。これら運転スイッチ部４１ａ、速度設定部４１ｂ及び詳細設定ボタン４１ｃの何れかにタッチすることにより、運転状態の変更、送風状態の変更及び詳細設定の変更を行うことができる。
【００４０】
汚れレベル表示領域４２は、汚れレベルＡＱに応じて高さが変わる波形のグラフィックを表示するグラフィック表示領域４５と、背景表示領域４６を有する。
【００４１】
グラフィック表示領域４５では、操作ボタンを表示する操作部表示領域４１側の固定端部４５ａから背景表示領域４６側の波形の変動側端部４５ｂまでの高さとその表示色（色彩）が汚れレベルＡＱに応じて変化する。表示色は、空気の汚れレベルＡＱが高くなるにつれて、例えば、色相は若草色から段々と警告色である赤色に変化し、彩度、明度については、淡い色（彩度が高く、明度が低い色）から濃い色（彩度が高く、明度が低い色）に変化し、一番高い汚れレベルの表示色をワインレッド色に変化する。
【００４２】
一方、背景表示領域４６では、汚れレベルＡＱに応じてグラフィック表示の高さ増減することにより、汚れレベルＡＱが高くなるほどグラフィック表示領域４５の面積が大きくなり、逆に背景表示領域４６の面積は小さくなる。このように汚れレベルＡＱをグラフィックで表示することにより、ユーザは空気が汚れた状態を直感的に認識することができる。また、汚れレベルＡＱに応じてグラフィック領域の高さとその表示色と背景色を変えることで、ユーザは空気が汚れている程度や汚れの変化を直感的に認識することができる。
【００４３】
汚れレベル表示領域４２には、中央部に空気の汚れレベルＡＱが表示される数値表示領域４７が形成されている。この数値表示領域４７に表示される数値は、グラフィック表示領域４５の表示色が淡い色である場合には濃い色例えば黒色表示され、グラフィック表示領域４５の表示色が濃い色である場合には白黒反転させた白色で表示される。
【００４４】
また、汚れレベル表示領域４２には、数値表示領域４７の周囲における固定側端部４５ａ側に室内環境情報である室内温度検出値Ｔ及び室内湿度検出値Ｈを表示する室内環境情報表示領域４８が形成されている。さらに、汚れレベル表示領域４２には、数値表示領域４７の周囲における環境情報表示領域４３側にＰＭ２．５の濃度による室内環境状態が良好を意味する「ＧＯＯＤ」や適度な状態を意味する「Ｍｏｄｅｒａｔｅ」などの文言で表示する状態表示領域４９が形成されている。
【００４５】
さらに、環境情報表示領域４３には、現在時刻、空気清浄機１０の設置場所、例えばリビング（図ではＬｉｖｉｎｇと表示）、地域名、室外空気汚れレベル、室外温度、室外湿度等が表示される。これら地域名、室外空気汚れレベル、室外温度、室外湿度は、ＧＰＳ受信部３６で受信したＧＰＳ信号から検出される現在位置情報をもとにインターネットを介して地域の気象情報を自動検索することにより取得される。
【００４６】
そして、空気清浄機制御部３２は、空気清浄機制御プログラム内に記述された作動情報表示処理を実行することにより、汚れレベル表示領域４２の表示制御を行う。
【００４７】
この作動情報表示処理については、図４と図７を用いて説明する。先ず、空気清浄機制御部３２は、作動情報表示処理によって、端末機器３０と空気清浄機１０の本体制御部１３間の無線通信が確立されているか否かを判定する（ステップＳ１１）。
【００４８】
このとき、端末機器３０と空気清浄機１０の本体制御部１３との無線通信が確立されていないときには（ステップＳ１１でＮ）、空気清浄機１０から作動情報を取得することができないので、端末表示部３４の汚れレベル表示領域４２にオフライン表示情報を表示する（ステップＳ２２）。このオフライン表示情報は、図７（ａ）に示すように、汚れレベル表示領域４２の数値表示領域４７に「Ｏｆｆｌｉｎｅ」の文字を表示するとともに、図６で示す表示テーブルの「状態」に「オフライン」が記憶されている行の汚れレベル高さ「Ｈ０」からグラフィック表示領域４５の上端の変動側端部４５ｂの高さを「Ｈ０」に設定し、背景表示領域４６の背景色は白色に設定し、波形状の図形５１は、動的に変化をしない固定表示とする。
【００４９】
その後、タイマ割込処理を終了して所定のメインプログラムに復帰する。
【００５０】
また、空気清浄機制御部３２は、ステップＳ１１の判定結果が空気清浄機１０の本体制御部１３との通信が確立しているものであるときには（ステップＳ１１でＹ）、空気清浄機１０の本体制御部１３へ作動情報送信要求を送信する（ステップＳ１２）。
【００５１】
次いで、空気清浄機制御部３２は、空気清浄機１０の本体制御部１３からの作動情報を受信したか否かを判定する（ステップＳ１３）。このとき、作動情報を受信していないときには（ステップＳ１３でＮ）、作動情報を受信するまで待機し、作動情報を受信したときには（ステップＳ１３でＹ）、作動情報に含まれる空気汚れ検出部１６の状態情報から空気汚れ検出部１６が作動中であるか否かを判定する（ステップＳ１４）。
【００５２】
この判定結果が、空気汚れ検出部１６が作動中でないときには（ステップＳ１４でＮ）、さらに空気汚れ検出部１６のエラー情報があるか否かを判定する（ステップＳ２３）。この判定結果でエラー情報がある場合には（ステップＳ２３でＹ）、端末表示部３４に検出部エラー表示情報を表示させ（ステップＳ２４）、次いでタイマ割込処理を終了して所定のメインプログラムに復帰する。この検出部エラー情報の表示は、図７（ｃ）に示すように、汚れレベル表示領域４２の数値表示領域４７に「−  −  −」の記号を表示させるとともに、グラフィック表示領域４５と背景表示領域の表示はオフライン表示情報と同様の波形の図形５１を固定表示させる。
【００５３】
また、ステップＳ２３の判定結果が空気汚れ検出部１６のエラー情報がない場合には（ステップＳ２３でＮ）、空気汚れ検出部１６が室内の空気汚れの検出を停止しているものと判断して空気汚れ検出停止表示情報を端末表示部３４に表示する（ステップＳ２５）。この空気汚れ検出停止表示情報の表示は、図７（ｂ）に示すように、汚れレベル表示領域４２の数値表示領域４７に「ＯＦＦ」の文字を表示するとともに、グラフィック表示領域４５と背景表示領域の表示はオフライン表示情報と同様の波形の図形５１を固定表示させる。
【００５４】
また、ステップＳ１４の判定結果が空気汚れ検出部１６が作動中であるものであるときには（ステップＳ１４でＹ）、受信した作動情報を端末記憶部３７に一時記憶する（ステップＳ１５）。
【００５５】
次いで、空気清浄機制御部３２は、室内空気の汚れレベルＡＱをもとに図６に示す表示テーブルを参照して表示レベル及び表示色を決定する（ステップＳ１６）。なお、具体的な室内空気の汚れレベルＡＱの表示についての詳細説明は後述する。
【００５６】
次いで、ステップＳ１６で決定した表示レベル、表示色で汚れレベル表示情報を作成する（ステップＳ１７）。
【００５７】
次いで、空気清浄機制御部３２は、ステップＳ１７で作成した汚れレベル表示情報に室内空気の汚れレベルＡＱ、状態表示情報、温度検出値Ｔ、湿度検出値Ｈを加えて空気の汚れ表示情報を作成し（ステップＳ１８）、作成した汚れ表示情報を端末表示部３４に表示させて（ステップＳ１９）、次いでタイマ割込処理を終了して所定のメインプログラムに復帰する。なお、この汚れレベル表示は、所定の時間毎に更新するようになっている。
【００５８】
このステップＳ１９の処理において、空気の汚れレベル表示情報についてはグラフィック表示領域４５の波形状の図形５１が、グラフィック表示領域４５の左側から右側に向かって移動するように表示させる移動表示処理を行う。この移動表示処理によって、空気清浄機１０が正常に機能していることを視覚的に示している。
【００５９】
次に、汚れレベルＡＱに応じた表示レベル、表示色の表示について説明する。
【００６０】
室内空気の汚れレベルＡＱをもとに図６に示す表示テーブルを参照して表示レベル及び表示色を決定する。表示テーブルは、図６に示すように、室内空気の汚れレベルＡＱの範囲に応じて、空気の汚れ状態、状態表記、グラフィック表示領域４５の上端の変動側端部４５ｂの高さと、汚れレベルの表示色など例えば７段階に設定されている。また、室内空気の汚れレベルＡＱが０〜１５の範囲である場合、特に空気がきれいなことを表すために背景表示領域４６を空気がきれいなイメージを表す背景表示５２をするように設定されている。
【００６１】
例えば、室内空気の汚れレベルＡＱが０〜１５の範囲であるときには、室内空気の汚れの状態は「良好」で、状態表記は「ＧＯＯＤ」、グラフィック表示領域４５の上端の変動側端部４５ｂの高さが「Ｈ１」に設定され、グラフィック表示領域４５の表示色は若草色に設定される。背景表示領域４６には、室内の空気が特にきれいであることを示す背景表示５２が設定されている。室内空気の汚れレベルＡＱの値が５の場合の表示例として図７（ｄ）に示すように表示される。なお、図７（ｄ）の背景表示５２は、中心から光線が放射状に放されているような模様としているが、きれいな青空をイメージする水色表示にしても良い。
【００６２】
また、室内空気の汚れレベルＡＱが１６〜４５の範囲であるときは、室内空気の汚れの状態は「良好」で、状態表記は「ＧＯＯＤ」、グラフィック表示領域４５の上端の変動側端部４５ｂの高さが「Ｈ１」に設定され、グラフィック表示領域４５の表示色は若草色に設定され、背景表示領域４６の背景色は所定の色（例えば白）として、背景表示５２は表示しない。室内空気の汚れレベルＡＱの値が３０の場合の表示例として図７（ｅ）に示すように表示される。
【００６３】
また、室内空気の汚れレベルＡＱが４６〜８０の範囲であるときには、室内空気の汚れの状態は「適度な状態」で、状態表記は「Ｍｏｄｅｒａｔｅ」、グラフィック表示領域４５の上端の変動側端部４５ｂの高さ「Ｈ２」に設定されて「Ｈ１」の高さより高くなり、グラフィック表示領域４５の表示色は黄色に設定され、背景表示領域４６の背景色は所定の色（白）とする。空気の汚れレベルＡＱの値が６０の場合の表示例として図７（ｆ）に示すように表示される。
【００６４】
また、室内空気の汚れレベルＡＱが８１〜１１０の範囲であるときには、空気の汚れの状態は「健康を害するレベル１」で、状態表記は「Ｕｎｈｅａｌｔｈｙ１」、グラフィック表示領域４５の上端の変動側端部４５ｂの高さが「Ｈ３」に設定されて「Ｈ２」の高さより高くなり、グラフィック表示領域４５の表示色はオレンジ色に設定され、背景表示領域４６の背景色は所定の色（白）とする。室内空気の汚れレベルＡＱの値が１００の場合の表示例として図７（ｇ）に示すように表示される。
【００６５】
また、室内空気の汚れレベルＡＱが１１１〜１５０の範囲であるときには、空気の汚れの状態は「健康を害するレベル２」で、状態表記は「Ｕｎｈｅａｌｔｈｙ２」、グラフィック表示領域４５の上端の変動側端部４５ｂの高さが「Ｈ４」に設定されて「Ｈ３」の高さより高くなり、グラフィック表示領域４５の表示色は赤色に設定され、背景表示領域４６の背景色は所定の色（白）とする。室内空気の汚れレベルＡＱの値が１２０の場合の表示例として図７（ｈ）に示すように表示される。なお、表示色が濃い色であるので、室内の空気の汚れレベルＡＱの値１２０など白色で表示して、ユーザが認識しやすいようにしている。
【００６６】
また、室内空気の汚れレベルＡＱが１５１〜２５０の範囲であるときには、空気の汚れの状態は「健康を害するレベル３」で、状態表記は「Ｕｎｈｅａｌｔｈｙ３」、グラフィック表示領域４５の上端の変動側端部４５ｂの高さが「Ｈ５」に設定されて「Ｈ４」の高さより高くなり、グラフィック表示領域４５の表示色は群青色に設定され、背景表示領域４６の背景色は所定の色（白）とする。空気の汚れレベルＡＱの値が２００の場合の表示例として図７（ｉ）に示すように表示される。また、図７（ｈ）と同様に室内空気の汚れレベルＡＱの値２００など白色で表示して、ユーザが認識し易いようにしている。
【００６７】
また、室内空気の汚れレベルＡＱが２５１以上であるときには、空気の汚れの状態は「危険な状態」で、状態表記は「Ｈａｚａｒｄｏｕｓ」、グラフィック表示領域４５の上端の変動側端部４５ｂの高さ「Ｈ６」に設定されてが「Ｈ５」の高さより高くなり、グラフィック表示領域４５の表示色はワインレッド色に設定され、背景表示領域４６の背景色は所定の色（白）とする。室内空気の汚れレベルＡＱの値が３００の場合の表示例として図７（ｊ）に示すように表示される。また、図７（ｈ）と同様に室内空気の汚れレベルＡＱの値３００など白色で表示して、ユーザが認識し易いようにしている。
【００６８】
次に、上記実施形態の表示動作について説明する。
【００６９】
空気清浄機１０の空気清浄部１１が作動することにより、室内の埃、花粉、ＰＭ２．５等の塵埃が電気集塵部で集塵され、塵埃を除去して清浄化された空気が室内に戻される。空気清浄部１１の運転を継続することにより、空気清浄機１０を設置した室内の空気の汚れレベルＡＱが低下して行く。この室内空気の汚れレベルＡＱの低下に応じて数値表示領域４７に表示される空気の汚れレベルの数値が減少する。これと同時に、室内空気の汚れレベルＡＱを示すグラフィック表示領域４５の高さが減少し、さらに表示色が順次オレンジ色、黄色、若草色にと変化して行く。
【００７０】
しかも、端末表示部３４に表示された汚れレベルでは、グラフィック表示領域４５の波形状の図形５１が移動するように表示させることで、ユーザが、空気清浄機１０が正常に作動しているか否か認識できる。
【００７１】
したがって、室内空気の汚れレベルＡＱの減少時に、汚れレベルＡＱの数値、グラフィックの高さ及び表示色の三種類の表示が同時に変化するので、ユーザが室内空気の汚れレベルＡＱの減少したことを認識し易くなる。このとき、数値表示領域４７が汚れレベル表示領域４２の中央部に設けられ、数値表示領域４７の位置及び大きさは変化しないので、数値表示領域４７に表示された数値と、表示レベルを表す変動側端部４５ｂの位置とから表示レベルの変化を認識し易くなる。
【００７２】
その後、室内空気の汚れレベルＡＱが例えば４５以下となると、グラフィック表示領域４５の高さが「Ｈ１」となり、高さが固定された状態となる。
【００７３】
さらに空気の汚れレベルＡＱが１５以下となると、本実施形態では、図７（ｄ）に示すように、図７（ｅ）と比較してグラフィック表示領域４５の高さ自体は変化しないが、背景表示領域４６に中心から光線が放射状に放されているような模様としている背景表示５２を表示する。これにより、ユーザは、室内空気の汚れレベルＡＱの数値が低い状態になっていることを認識できる。
【００７４】
このように、上記実施形態によれば、表示装置１を端末機器３０に設けることにより、空気清浄機１０の運転操作を行うとともに、空気清浄機１０の運転状態や室内の空気の汚れレベルを表示することができる。このため、端末機器３０を空気清浄機１０のリモートコントロール機器として使用することができる。
【００７５】
この表示装置１では、室内空気の汚れレベルＡＱを数値表示するとともに室内空気の汚れレベルＡＱに応じて高さが変わる波形のグラフィックで表示するようにしている。したがって、室内空気の汚れレベルＡＱを表すレベル表示を見易く且つ確実に判別可能に表示できるとともに、空気清浄機が正常に機能していることが分かるように表示できる。したがって、ユーザが室内の空気の汚れレベルを確実に認識することができるとともに、ユーザが、空気清浄機が正常に機能していることを確認することができる。
【００７６】
また、室内空気の汚れレベルＡＱの数値表示の表示色は、グラフィック表示の表示色に応じて変化するので、見易い数値表示を行うことができる。
【００７７】
空気清浄機が正常に機能している時、グラフィック表示領域４５の波形状の図形５１が、移動するように表示するので、空気清浄機の動作状態を認識することができる。
【００７８】
なお、上記実施形態では、レベル表示を縦長の端末表示部３４で上下方向に直線的に変化させる場合について説明したが、これに限定されるものではなく、端末表示部３４を横長とした場合には、操作部表示領域４１、汚れレベル表示領域４２及び環境情報表示領域４３を縦横変換して表示させることができる。
【００７９】
また、上記実施形態では、室内空気の汚れレベルＡＱのグラフィック表示を端末表示部３４の上下方向に表示面積を変化させる場合について説明したが、これに限定されるものではなく、グラフィック表示を円周方向に扇状や円形状に変化させるようにしてもよい。
【００８０】
また、上記実施形態では、室内空気の汚れレベルＡＱを７段階に表示する場合について説明したが、これに限定されるものではなく、６段階以下、８段階以上の任意の段階に表示することができる。
【００８１】
また、上記実施形態では、空気の汚れレベルＡＱをグラフィック表示する場合に、変動側端部４５ｂを波形の形状は、正弦波形、三角波形、方形波形等の任意の波形を適用することができる。
【００８２】
また、上記実施形態では、端末機器３０の端末制御部３１と空気清浄機１０の本体制御部１３を無線ルーター２１及び無線アダプタ２０を介して行う場合について説明したが、これに限定されるものではなく、インターネットに接続したサーバを置き、空気清浄機１０は運転状態や汚れレベルＡＱなどの作動情報をサーバに送り、端末機器３０がサーバから運転状態や汚れレベルＡＱなどの作動情報を受信するようにしてもよい。
【００８３】
以上、特定の実施形態を参照して本発明を説明したが、これらの説明によって発明を限定することを意図するものではない。本発明の説明を参照することにより、当業者には、開示された実施形態の種々の変形例とともに本発明の別の実施形態も明らかである。したがって、特許請求の範囲は、本発明の範囲及び要旨に含まれるこれらの変形例又は実施形態も網羅すると解すべきである。
【符号の説明】
【００８４】
１…表示装置、１０…空気清浄機、１１…空気清浄部、１２…駆動部、１３…本体制御部、１４…本体操作部、１５…本体表示部、１６…空気汚れ検出部、１７…温度検出部、１８…湿度検出部、１９…記憶部、２０…無線アダプタ、２１…無線ルーター、３０…端末機器、３１…端末制御部、３２…空気清浄機制御部、３２ａ…数値表示制御部、３２ｂ…グラフィック表示制御部、３３…入力部、３４…端末表示部、３５…通信インタフェース部、３６…ＧＰＳ、３７…端末記憶部、４１…操作部表示領域、４２…汚れレベル表示領域、４３…環境情報表示領域、４５…グラフィック表示領域、４５ａ…固定側端部、４５ｂ…変動側端部、４６…背景表示領域、４７…数値表示領域、４８…室内環境情報表示領域、４９…状態表示領域、５２…背景表示
【図１】
2019180050.tif 000003
【図２】
2019180050.tif 000004
【図３】
2019180050.tif 000005
【図４】
2019180050.tif 000006
【図５】
2019180050.tif 000007
【図６】
2019180050.tif 000008
【図７】
2019180050.tif 000009